(57)【特許請求の範囲】
【請求項１】
少なくとも第１および第２のタッチスクリーンと、前記タッチスクリーン上に表示されるコンテンツのタッチ選択用のインターフェース制御手段とを有するタッチセンシティブ電子デバイスであって、
前記第１のタッチスクリーン上のタッチ選択が終了位置に到達する際、前記終了位置と前記第２のタッチスクリーン上の開始位置とのそれぞれに、分割された部分が出現する分割カーソルによって、前記タッチ選択の機能が、前記第２のタッチスクリーン上の開始位置で存続するように前記インターフェース制御手段を構成して、両方のタッチスクリーンにまたがって延在するコンテンツのタッチ選択を可能にする、タッチセンシティブ電子デバイス。
【請求項２】
前記タッチセンシティブ電子デバイスが、前記第１のタッチスクリーン上の前記終了位置が、前記表示されるコンテンツの上側または下側の隅部領域により表されるスクリーン位置を含むように構成される、請求項１に記載のタッチセンシティブ電子デバイス。
【請求項３】
前記第２のタッチスクリーン上の前記開始位置が、前記表示されるコンテンツの上側または下側の隅部領域により表されるスクリーン位置を含む、請求項１または２に記載のタッチセンシティブ電子デバイス。
【請求項４】
前記タッチセンシティブ電子デバイスが、前記第１または第２のタッチスクリーンのいずれかでの前記開始および終了位置が、前記タッチスクリーンの上側または下側のいずれかの隅部領域を含むように構成される、請求項１から３のいずれか一項に記載のタッチセンシティブ電子デバイス。
【請求項５】
前記分割カーソルが、順方向および逆方向を向くそれぞれの指標を含む２つの部分を備える、請求項１から４のいずれか一項に記載のタッチセンシティブ電子デバイス。
【請求項６】
３つ以上のタッチスクリーンを備え、前記終了位置が、前記タッチスクリーンのいずれか１つに設けられ得るとともに、前記開始位置が、他の前記タッチスクリーンの少なくとも１つに設けられ得る、請求項１から５のいずれか一項に記載のタッチセンシティブ電子デバイス。
【請求項７】
前記開始位置が、前記タッチ選択処理をどこで存続すべきかに関して、ユーザに選択を提供する複数のタッチスクリーン上に設けられ得る、請求項６に記載のタッチセンシティブ電子デバイス。
【請求項８】
タッチ選択されることになる前記コンテンツが、前記タッチスクリーンの全体に表示されるコンテンツの一部を含む、請求項１から７のいずれか一項に記載のタッチセンシティブ電子デバイス。
【請求項９】
タッチ選択されることになる前記コンテンツが、コンテンツタイプを含む、請求項８に記載のタッチセンシティブ電子デバイス。
【請求項１０】
前記コンテンツタイプが、テキストまたはグラフィックスのうちの少なくとも１つを含む、請求項９に記載のタッチセンシティブ電子デバイス。
【請求項１１】
タッチセンシティブ電子デバイスの第１および第２のタッチスクリーン上に表示されるコンテンツのタッチ選択の方法であって、
前記第１のタッチスクリーン上のタッチ選択が終了位置に到達する際、前記第１のタッチスクリーン上の前記終了位置と前記第２のタッチスクリーン上の開始位置とのそれぞれに、分割された部分が出現する分割カーソルによって、前記タッチ選択機能が前記第２のタッチスクリーン上の開始位置で存続して、両方のタッチスクリーンにまたがって延在するコンテンツのタッチ選択を実現する、方法。
【請求項１２】
前記第１のタッチスクリーン上の前記終了位置が、前記表示されるコンテンツの上側または下側の隅部領域により表されるスクリーン位置を含む、請求項１１に記載の方法。
【請求項１３】
前記第２のタッチスクリーン上の前記開始位置が、前記表示されるコンテンツの上側または下側の隅部領域により表されるスクリーン位置を含む、請求項１１に記載の方法。
【請求項１４】
前記タッチスクリーンのいずれかでの前記終了または開始位置が、それぞれ、各々のタッチスクリーンの上側もしくは下側のいずれかの隅部領域、または周辺部領域を含み得る、請求項１１から１３のいずれか一項に記載の方法。
【請求項１５】
タッチおよび移動されることを基にして、前記分割カーソルが統一された外観に復帰する、請求項１１から１４のいずれか一項に記載の方法。
【請求項１６】
前記タッチセンシティブ電子デバイスが、３つ以上のタッチスクリーンを有し、前記タッチ選択機能が、任意の数の前記タッチスクリーンに及ぶ、請求項１１から１５のいずれか一項に記載の方法。
【請求項１７】
第３のタッチスクリーン上の開始位置でのタッチ選択が、前記第２のタッチスクリーン上のコンテンツを前記選択に組み込む、請求項１４に記載の方法。
【請求項１８】
選択されることになる前記コンテンツが、テキスト、グラフィックスまたは他の形であれ、コンテンツタイプを含む、請求項１１から１７のいずれか一項に記載の方法。
【発明の詳細な説明】
【技術分野】
【０００１】
本発明は、タッチセンシティブ電子デバイス、およびそれを動作させる方法に関し、詳細には、マルチタッチスクリーンデバイスおよび関連する方法に関する。
【０００２】
優先権主張
2010年11月29日に出願した、英国特許出願第1020177.0号に関して優先権を主張し、その内容は参照により本明細書に組み込まれている。
【背景技術】
【０００３】
ユーザの操作性の容易さ、およびデバイスサイズの低減などの様々な要件を満たすために、ディスプレイスクリーンを備える電子デバイスは、一般に、そのようなスクリーンをユーザ入力インターフェースの一部としても使用するように構成されている。したがって、同一のスクリーンが、ユーザ入力手段およびディスプレイ手段として構成され得る。一部の状況では、そのようなタッチセンシティブディスプレイが、例えばQWERTYキーボードなどの標準的な入力インターフェースの表現を表示するように構成されることになる。
【０００４】
2つのタッチスクリーンを使用するデバイスが、例えば、米国特許第6,331,840号から既知であり、それは、折り畳み式のハウジングを呈する、または他の方法でのデバイスを備え得る。この文献のデバイスは、一方のスクリーンに表示される対象を他方のスクリーンにまたがって「カットアンドペーストする」または「コピーアンドペーストする」可能性をもたらす。
【０００５】
しかしながら、コンテンツの処理が、1つのスクリーンから別のスクリーンに単に対象を移動させること以上のものを必要とするとき、上記の文献から既知である構成などの構成は、不利に制限される。特に、そのような既知のデバイスは、2つのスクリーンに効果的に重なるコンテンツが、どのように操作され、処理され得るかに関して、何等の開示を含まず、また、何らの示唆もない。
【先行技術文献】
【特許文献】
【０００６】
【特許文献１】米国特許第6,331,840号
【発明の概要】
【発明が解決しようとする課題】
【０００７】
本発明は、そのようなデバイスおよび方法より優れた利点を有する、2つ以上のタッチスクリーンを使用するタッチセンシティブデバイス、および関連する動作の方法を提供することを目的とするものである。
【０００８】
本発明は、少なくとも2つのスクリーンに重なるコンテンツを、特に、ユーザフレンドリかつ効率的な方式で、操作/処理するように構成される、そのようなデバイスおよび方法を提供することをさらに目的とするものである。
【課題を解決するための手段】
【０００９】
本発明の第1の態様によれば、少なくとも第1および第2のタッチスクリーン、タッチスクリーン上に表示されるコンテンツのタッチ選択用のインターフェース制御手段を有するタッチセンシティブ電子デバイスが提供され、第1のタッチスクリーン上のタッチ選択が終了位置に到達する際、終了位置と第２のタッチスクリーン上の開始位置とのそれぞれに、分割された部分が出現する分割カーソルによって、タッチ選択の機能が、第2のタッチスクリーン上の開始位置で存続するように、インターフェース制御手段を構成して、両方のタッチスクリーンにまたがって延在するコンテンツのタッチ選択を可能にする。
【００１０】
したがって、有利には、ユーザは、コピー、カット、ハイライト、または他の方法等であれ、後続の処理目的で、2つの、または実際はそれより多いタッチスクリーンにまたがって延在するコンテンツを、容易に選択可能である。
【００１１】
したがって、そのようなコンテンツが単一のタッチスクリーンを越えて延在するという事実は、ユーザが、そのコンテンツを処理する、または任意の方途で適合させることができる方式を不利に制限しない。したがって、コンテンツが2つ以上のタッチスクリーン間に重なるように延在するという事実にもかかわらず、標準的なコンテンツ処理機能が、単一のアクションで使用され得る。
【００１２】
1つの構成によれば、第1のタッチスクリーン上の終了位置は、表示されるコンテンツの上側または下側の隅部領域により表されるスクリーン位置を含み得る。
【００１３】
同様に、第2のタッチスクリーン上の開始位置は、表示されるコンテンツの上側または下側の隅部領域により表されるスクリーン位置を含み得る。
【００１４】
あるいは、表示されるコンテンツにより表される位置ではなく、タッチスクリーンのいずれかでの前記開始および/または終了位置は、タッチスクリーンの上側もしくは下側のいずれかの隅部領域または周辺部を含み得る。
【００１５】
このように、タッチ選択機能が、第2のタッチスクリーン上で存続するように構成される点は、タッチスクリーン周辺部、または、表示されるコンテンツ、特に、例えばテキストもしくはグラフィックなどのコンテンツタイプの、終了/開始点の位置のいずれかにより決定され得る。
【００１６】
可能性がそのように多様であることにより、少なくとも2つのタッチスクリーンにまたがって延在するコンテンツが右左、左右、上下、または下上の方式で選択されることに関係なく、本発明の機能を実現することが可能になる。したがって、対象のコンテンツは、順方向または逆方向のいずれかのモードで選択され得る。これは、有利には、言語または他のものなどのコンテンツの特性にかかわらない、本発明の採用を可能にする。
【００１７】
さらに、インターフェース制御手段が、終了位置が到達されたことを指示するディスプレイ要素を駆動するように構成され得る。
【００１８】
この方式では、ユーザは、その場合、本発明によって、2つ以上のタッチスクリーンにまたがるコンテンツが選択され得ることが容易に通知される。
【００２０】
分割カーソルは、有利には、タッチスクリーン上で移動/ドラッグされることを基にして、2つの部分のいずれも、単一の統一されたカーソル(unitary cursor)の外観に復帰することができるように構成され得る。
【００２１】
有利には、分割カーソルは、反対方向を指すそれぞれの矢印を含む2つの部分を備え得る。さらに、単一のカーソルは、ユーザにより移動される方向を指す単一の矢印を備え得る。
【００２２】
好ましくは、選択されたコンテンツの部分が、認識しやすいようにハイライト表示され、そのようなハイライト表示が、適宜に第2の、タッチスクリーン上に存続する。コンテンツの機能的に単一のハイライト表示された部分が、次いで、必要に応じて、後続の処理/操作のために、単純かつ迅速な方式で容易に生成される。
【００２３】
当然ながら、タッチセンシティブデバイスは、複数の、タッチスクリーンを有し、任意の適切な配置構成で提供され、計算/処理、組織化および/または通信の機能の、1つまたは複数を提供する任意の形態のデバイスを備え得る。
【００２４】
本発明の別の態様によれば、タッチセンシティブ電子デバイスの第1および第2のタッチスクリーン上に表示されるコンテンツのタッチ選択の方法が提供され、第1のタッチスクリーン上のタッチ選択が終了位置に到達する際、第１のタッチスクリーン上の終了位置と第２のタッチスクリーン上の開始位置とのそれぞれに、分割された部分が出現する分割カーソルによって、タッチ選択の機能が第2のタッチスクリーン上の開始位置で存続して、両方のタッチスクリーンにまたがって延在するコンテンツのタッチ選択を実現する。
【００２５】
上記のように、第1のタッチスクリーン上の終了位置は、表示されるコンテンツの上側または下側の隅部領域により表されるスクリーン位置を含み得る。
【００２６】
同様に、第2のタッチスクリーン上の開始位置は、表示されるコンテンツの上側または下側の隅部領域により表されるスクリーン位置を含み得る。
【００２７】
ここでも、表示されるコンテンツにより表される位置ではなく、前記方法は、タッチスクリーンの、上側もしくは下側のいずれかの隅部、または周辺部領域を含み得る、タッチスクリーンのいずれかでの終了および開始位置を使用し得る。
【００２８】
さらに、本発明の方法は、少なくとも2つのタッチスクリーンにまたがって延在するコンテンツが右左、左右、上下、または下上の方式で選択されることに関係なく使用され得る。したがって、対象のコンテンツは、順方向または逆方向のいずれかのモードで選択され得、その結果、コンテンツの異なるフォーマット、配置構成および言語等を用いた使用のために容易に適合され得る。
【００２９】
さらに、制御手段が、終了位置が到達されたことを指示するディスプレイ要素を駆動するように構成され得る。
【００３０】
この方式では、ユーザは、その場合、本発明によって、2つ以上のタッチスクリーンにかかるコンテンツが選択され得ることが容易に通知される。
【００３２】
分割カーソルは、有利には、タッチおよび移動されることを基にして、2つの部分のいずれも、外観が単一のカーソルのそれに復帰することができるように構成され得る。
【００３３】
有利には、分割カーソルは、反対方向を指すそれぞれの矢印を含む2つの部分を備え得る。さらに、単一のカーソルは、ユーザにより移動される方向を指す単一の矢印を備え得る。
【００３４】
好ましくは、選択されたコンテンツの部分が、認識しやすいようにハイライト表示され、そのようなハイライト表示が、適宜に第2のタッチスクリーン上に存続する。コンテンツの機能的に単一のハイライト表示された部分が、次いで、必要に応じて、後続の処理/操作のために、単純かつ迅速な方式で容易に生成される。
【００３５】
本発明を、単に例として、および以下の図面を参照して、以降でさらに説明する。
【図面の簡単な説明】
【００３６】
【図１】本発明の実施形態による、ノートブックコンピューティングデバイスの形態でのタッチセンシティブ電子デバイスの平面図である。
【図２】図1のデバイスの機能要素の概略平面図である。
【図３Ａ】本発明の実施形態の実行中に出現するスクリーンコンテンツの例を示す。
【図３Ｂ】本発明の実施形態の実行中に出現するスクリーンコンテンツの例を示す。
【図３Ｃ】本発明の実施形態の実行中に出現するスクリーンコンテンツの例を示す。
【図４Ａ】本発明の実施形態の実行中に出現するスクリーンコンテンツのさらなる例を示す。
【図４Ｂ】本発明の実施形態の実行中に出現するスクリーンコンテンツのさらなる例を示す。
【図４Ｃ】本発明の実施形態の実行中に出現するスクリーンコンテンツのさらなる例を示す。
【図５】本発明の実施形態によって生成されるカーソル画像の例を示す。
【図６】図5のカーソル画像のさらなる詳細を示す。
【図７】本発明を実施する方法のステップを例示するフロー図である。
【発明を実施するための形態】
【００３７】
最初に図1に目を向けると、本発明を実施する、ノートブックコンピュータデバイス10の形態でのタッチセンシティブ電子デバイスの平面図が与えられている。上記から理解されるように、本発明は、少なくとも2つのタッチスクリーンを有するマルチタッチスクリーンデバイスを対象とし、図1での例示は、折り畳み可能なハウジング16内部に装着される2つのタッチスクリーン12および14を備える。それぞれのディスプレイ12および14を有するハウジング16の2つのリーフの各々は、ヒンジ構成18によって、開状態および閉状態の配置構成間で折り畳み可能である。
【００３８】
例示する例では、2つのタッチスクリーン12、14が、2つのスクリーン12および14の間に機能的不連続部の領域20をさらに形成するヒンジ構成18により分離される個別的な要素であることをさらに理解されたい。
【００３９】
これに対して、本発明が、そのようなスクリーン配置構成に決して限定されないこともまた理解されたい。例えば、本発明は、それでも単一のスクリーンの外観を提供し、統一された外観の単一の一様のスクリーン層の下に設けられ得る、少なくとも2つのディスプレイスクリーンを使用するタッチディスプレイ構成に等しく適用可能である。さらに、折り畳み可能であれ他の形であれ、任意の適切な数のスクリーンおよび任意の適切な寸法を使用するデバイスのスクリーンのレイアウトおよび配置構成にかかわらず、やはり本発明を実施することが可能である。
【００４０】
図面および以下でのさらなる説明から理解されるように、本発明の個別の態様は、2つの、または実際はそれより多いスクリーンにわたって伸長する、統一された方式での、コンテンツの選択および処理である。
【００４１】
ここで、図1に例示するような実施形態を用いたままで、図2を参照する。図2は図1のコンピューティングデバイス10の動作機能の概略例図を含む。
【００４２】
例示するように、タッチスクリーン12および14の各々は、それぞれ、重なるディスプレイ12Aおよび14Aならびにタッチセンシティブ12Bおよび14Bの要素を備え、ここではさらに詳細に説明しないが、標準的なタッチスクリーン機能の態様を使用する。デバイス10の主処理システム22は、2つのスクリーン12および14の各々に対する、それぞれのメモリおよび処理サブシステム24〜30を備える。さらに詳細には、タッチセンシティブメモリおよび処理サブシステム24が、スクリーン12に対して設けられ、タッチセンシティブメモリおよび処理サブシステム26が、スクリーン14に対して設けられる。同様に、ディスプレイメモリおよび処理サブシステム28が、スクリーン12に対して設けられ、ディスプレイメモリおよび処理サブシステム30が、スクリーン14に対して設けられる。
【００４３】
サブシステム24〜30のコア機能の多くは、標準的であり、デバイス10に関するユーザインターフェースが、スクリーン12および14上に表示されるようなコンテンツを必要に応じて選択かつ処理するために、タッチセンシティブ方式で容易に実現されるということの確認を除いて、ここではこれ以上詳細に説明しない。以下でのさらなる説明から理解されるように、そのような処理は、「カットアンドペースト」、「コピーアンドペースト」、または単なる削除、または必要に応じてのハイライト表示などの標準的なアクションを含み得るが、決してそのようなアクションに限定されない。すなわち、ディスプレイ12上に表示されるコンテンツに対して、そのコンテンツの少なくとも一部分のユーザの選択が、スクリーンに指でタッチし、指を、スクリーン12を横切ってドラッグすることにより行われ得る。そのような選択は、タッチスクリーン処理サブシステム24内部に記憶/バッファリングされ、一方で、表示されるコンテンツのその少なくとも一部の選択が、ディスプレイ処理サブシステム28によって、選択された部分をハイライト表示するなど、ディスプレイの適切な適合により反映される。次いで、ユーザは、さらなる操作/処理のために選択されていたコンテンツのその一部を容易に決定することができる。そのような機能は、第2のスクリーン14に対して、タッチスクリーンサブシステム26およびディスプレイスクリーンサブシステム30によって、同様に付与される。
【００４４】
本発明の重要な態様は、スクリーン12および14の両方に表示されるようなコンテンツが、単純かつ統一された方式で、概略的には、スクリーン12および14のただ1つでの、コンテンツの収集および処理よりも複雑でない方式で、選択かつ処理され得るということである。
【００４５】
本発明は、処理システム22の特定の機能によって、そのような有利な動作をもたらすことを目的とするものである。更に以下では、1つの個別の例について、初めに図3A〜3Cを参照するとともに、スクリーン12および14の両方に及ぶテキスト部分の操作を参照して説明される。各スクリーンは、コンテンツを、それが文書のページであるかのように表示することを目的とする。
【００４６】
最初に図3Aに目を向けると、例えば図1のスクリーンデバイスなどの、2つのタッチセンシティブスクリーン12および14を使用するデュアルスクリーンデバイス10の概略例図が示されている。2つのスクリーン12および14により提供されるディスプレイは、上記で説明したように、ヒンジ部分などの物理的不連続部によって分離される場合がある。あるいは、2つのスクリーンが下に位置する単一の表面を表示する場合がある。図3A〜3C、さらに図4A〜4Cの概略表現は、すべてのそのような構成を包含することが意図される。
【００４７】
図3Aに例示するように、連続的なテキストのページが、それぞれ、各々のスクリーン12および14上に表示される。本発明によれば、スクリーン12および14の両方に及ぶという事実にもかかわらず、ユーザは、テキストの必要とされる部分を処理/操作しようとする。
【００４８】
本発明によって提供される機能は、図3Bに例示するような、ドロップダウンメニューによって、標準的な方式でアクセスされ得る。ここでは、「テキストを選択する」選択肢が使用可能である。ドロップダウンメニューによって、標準的な方式でアクセスされ得る。この選択肢を選択した場合、タッチアンドドラッグの動きが、ユーザの指により、テキストの必要箇所の部分を選択するために実行され得る。テキストは、選択される際にスクリーン上にハイライト表示されて出現する。図3Cを参照すると、そのような動作が例示されている。ユーザの指32が、第1の位置34でスクリーン12にタッチし、その後、第2の位置36まで横切って、かつ下方向にドラッグしている。これにより、例示するような、テキストのハイライト表示されたブロック38を生成する。
【００４９】
以下でさらに詳細に説明するように、テキストのハイライト表示されたブロック38が始まる点34が、移動可能なカーソルによってマーキングされる。同様に、テキストのハイライト表示されたブロック38が終了する点36が、類似のカーソルによってマーキングされる。本出願の例示では、カーソルは、反対を指す対の矢印の表現を含む。矢印は、適宜に、必要に応じて、および以下でさらに説明するように、分割および再結合され得る。
【００５０】
テキストのハイライト表示されたブロック38が終了する点36が、ディスプレイ12上のいわゆる「終了位置」に接近する際、本発明を実施するデバイスの機能の重要な特徴が、以下でさらに説明するように存続する。ただし、「終了位置」は、任意の位置を意味するということを最初に留意されたい。「終了位置」は、テキストであれ他の形であれ、スクリーン上で任意の個別の時間に表示されているコンテンツの縁部/終了位置、および/または、その位置に関連する画素が実際に画像の一部を表示しているかどうかにかかわらず、タッチセンシティブスクリーンの実際の縁部の周辺部のいずれかを含み得る。表示されているコンテンツは、画像と比較してのテキストなどの、コンテンツタイプをさらに含み得る。このように、テキスト部分の端部は、必ずしもスクリーンの底部の付近でないにもかかわらず、「終了位置」を構成し得る。
【００５１】
いずれの場合でも、テキストの選択/ハイライト表示された部分が、その「終了位置」に到達する際、タッチ選択性が今や第2のスクリーン14上で存続し得るということを確認するように、カーソルが2つに分割状態となる。選択された部分、または、その選択された部分の始まりおよび終了の座標が、この段階で保存される。
【００５２】
次に図4Aを参照して、分割カーソル40および42を具体的に参照する。分割カーソル40および42は、テキストの逆方向を指し、ディスプレイ12の「終了位置」に位置する第1の要素40、および、テキストの順方向を指し、第2のスクリーン14の左上の「開始位置」に位置する第2の要素42を備える。やはり、第2のスクリーン14に関連する「開始位置」は、適宜に表示される画像/テキストの開始の位置、または、タッチセンシティブスクリーン14の左上の周辺部のいずれかを含み得る。どの選択肢が使用されても、分割カーソルの順方向を向く要素42の外観は、第2のスクリーン14上に出現するテキストが、ここでは、ユーザの指32による繰り返しのタッチアンドトラック(touch-and-track)動作によって、選択され得るということを表示する。その結果、テキストのハイライト表示されたブロック38を、スクリーン12および14の両方にまたがって延在させるように、したがって、第1のスクリーン12上のテキストの下側部分38A、および第2のスクリーン14上のテキストの上側部分38Bを含む、テキストの連続的なブロックを効果的に形成する。
【００５３】
そのような部分の形成が、図4Bを参照すると例示されている。この図は、テキストの選択が第2のスクリーン14のコンテンツに存続すると、分割カーソルが、反対を向く矢印の要素を備える統一された要素に再結合することをさらに例示する。そのような要素は、第2のスクリーン14上で選択されているテキスト部分が、必要に応じて、順方向または逆方向での継続するドラッグの動きによって、必要に応じて、増大/低減され得ることをユーザが確認するのに役立つ。
【００５４】
図4A〜4Cにさらに例示するように、「テキストを選択する」選択肢が選定された後、「カット」または「コピー」などの種々の他の処理選択肢の1つが、標準的な方式で選択され得る。どれが選定されても、必要とされる処理ステップが行われることになるときの、ユーザによる後続のタッチ選択のために、適切なポップアップボタンが、2つのスクリーン12および14の1つの適切な位置に表示される。したがって、図4Cを具体的に参照すると、2つのスクリーン12および14に重なるテキスト部分のタッチ選択が完了しており、テキストのその統一された部分38Aおよび38B(図4Bを参照)が、例示する「コピー」ボタンのタッチ選択によって、デバイスのクリップボードに保存され得る。
【００５５】
選択された部分がコピーされることになるテキストの残りの範囲内の適切な位置が、次いで、通常の方式で選択され得る。
【００５６】
したがって理解されるように、本発明は、有利には、マルチスクリーンデバイスの2つ以上のスクリーンにまたがって延在するコンテンツを選択するための、単純かつ効率的な機構を可能にし、それによって、有利には、ユーザが、必要に応じて、別の個別的なスクリーン上に出現するコンテンツの選択を存続させるために、1つのタッチスクリーンから、その人の指をはずすことが可能になる。
【００５７】
図3A〜3C、および図4A〜4Cの参照を使用する上記の説明は、「順」方向でのテキストの継続する選択に関するものであるが、本発明が「逆」方向での選択を同じように可能にすることを、当然ながら理解されたい。すなわち、テキストの一部が、逆方向でのタッチアンドドラッグの動きによって、ディスプレイ14の上側領域上で最初に選択される場合がある。その結果、選択が、スクリーン14、例えばそれに表示されるコンテンツの上側左での「開始位置」に一致するとき、逆方向を指す矢印がスクリーン12の右下に出現する状態で、上述の分割カーソルが出現する。
【００５８】
当然ながら理解されるように、本発明のそのような機能は、それぞれ、タッチスクリーン12および14の各々に関連する、タッチセンシティブサブシステム24およびディスプレイ処理サブシステム28、ならびに、タッチセンシティブサブシステム26およびディスプレイ処理サブシステム30によって実現される。そのようなサブシステムは、当技術分野では一般的である態様を有するタッチ選択ディスプレイ機能を使用するが、さらなるレベルの処理制御が、主処理システム22内部に設けられる。その結果、1つのスクリーンから別のものへの継続するタッチ選択性、および、上記で説明した分割カーソル構成などの、任意の必要とされるユーザインターフェース要素の生成を可能にする。
【００５９】
例示する例では、一般に、テキストコンテンツ/スクリーンの右下での終了位置を使用するが、これは、決して限定的ではない。終了位置は、言語などのコンテンツの特性に応じて、左下、右上、または実際には左上で見つけられる場合がある。さらに、終了位置は、本発明を混合型のコンテンツのディスプレイに対して適切にするテキストまたはグラフィックなどのコンテンツタイプの終了位置を含み得る。分割カーソル構成は、本発明の範囲内で使用され得るユーザインターフェース要素のただ1つの形態を備える。さらなる詳細は、図5および図6の参照により説明される。
【００６０】
最初に図5に目を向けると、図3Cにおいて、テキストの初期の選択されたブロック38が出現する開始および終了の点で見つけられる2つのカーソルの例が与えられている。これらの位置34および36に出現する左および右の両方のカーソルが、2つを区別するために明暗がわずかに異なる状態で例示されている。その時点では、選択されたテキストは、スクリーン境界を横断していないので、2つのカーソルの各々は、統一されたすなわち非分割の配置構成で示される。これは、カーソル、したがって選択されたコンテンツの関連する限界が、いずれかの方向、すなわち、逆方向または順方向に移動され得るということをユーザが確認するのに役立つ。
【００６１】
これに対して、次に図6に目を向けると、分割フォーマットで示した、図5の2つの統一されたカーソルの各々が、それぞれ、2つの別々の要素34Aおよび34B、ならびに、40Aおよび42Aを備える。この例示する例では、分割カーソル配置構成は、図5の統一されたカーソル配置構成が、図6で指示するようなスクリーン境界/周辺部に到達する時点で形成される。この方式では、分割カーソル34Aおよび34B、40Aおよび42Aの外観は、スクリーンの境界/周辺部が到達されたという事実にもかかわらず、選択されたコンテンツの統一されたブロックを拡張する方式で、コンテンツの選択が存続し得るということを表示するのに役立つ。
【００６２】
機能は、ユーザが分割カーソルの要素の1つを境界/周辺部から離れるようにドラッグする際、カーソルが、例えば図5に例示するその統一形態に戻るようにさらに構成される。当然ながら、分割カーソル要素のどれが移動されているかに応じて、境界から離れるそのような移動が、コンテンツの選択されている部分のサイズを拡大または低減するのに役立つことになる。
【００６３】
次に、本発明によって提供されるマルチスクリーン環境内のコンテンツ選択の視覚的に単純かつ効率的な動作をさらに明確にするために、図7を参照する。図7は、本発明の範囲内で実施される方法を例示し、上記で説明したようなテキストのブロックの選択に関するフロー図を含む。
【００６４】
ステップ46で開始すると、「テキストを選択する」選択肢が選定されたか否かが最初に決定され、そうであるならば、処理はステップ48に進む。第1のスクリーン上のユーザによる初期のタッチの位置が決定され、カーソルインターフェース要素によって表示される。ステップ50では、スクリーンを横切るユーザの指の継続するドラッグの動きが決定され、テキストの関連するブロックが継続する方式でハイライト表示される。そのようなハイライト表示の選択は、ユーザの指がスクリーンからはずされる、または、第1のスクリーン12上のいわゆる「開始位置」が到達されたことが決定されるような時間まで存続する。この後者の問題の決定はステップ52で行われ、継続するドラッグのアクションが、「開始位置」と一致することがまだ見出されないならば、処理は、ステップ54を経由してステップ50に戻るように進む。
【００６５】
これに対して、ステップ52で、テキストの選択された部分が、ここで「開始位置」と一致することが見出されるならば、処理は、タッチ選択が第2のスクリーン上で存続可能であるときはステップ58に進み、ステップ60で、そのような可能性のユーザインターフェースの例示が、ユーザに提供される(すなわち、上記で説明したような分割カーソルの外観)。
【００６６】
次いで、ステップ62では、第2のスクリーン上に出現する分割カーソルが、タッチ選択性の方式でさらにドラッグされているかどうかが決定される。そうであるならば、処理はステップ64に進。ステップ64は、第2のスクリーン上で存続する、テキスト部分のタッチ選択およびハイライト表示と、ユーザインターフェースの例示の適合、すなわち、これを確認するのに役立つ、上記の分割カーソルとが統一されたフォーマットに戻ることを可能にする。
【００６７】
最後に、ステップ26では、タッチ選択処理が完了しており、かつ、処理「アクションステップ」、例えば「カット」または「コピー」が、テキスト部分に関して選択されているかどうかが決定される。
【００６８】
本発明は、表示されるいかなる個別のコンテンツにも、または、実施されるべきいかなる個別の処理ステップ/機能にも、決して限定されないことを、当然ながら理解されたい。さらに、主としてユーザの指を使用するタッチ機能を上記で説明したが、本発明は、特定のタッチの実行、例えばスタイラスの使用を必要としようと他の方法であろうと、任意の形態のタッチスクリーン/タブレット構成に関して適用され得る。さらに、デバイスは、任意の適切な数および配置構成のスクリーンを、水平または垂直に近接してであれ、それらの組み合わせであれ、前記終了および開始位置が、それに応じて適合されるように表示することが可能である。
【００６９】
さらに、コンテンツが、例えば、第1、第2および第3のスクリーンにわたって延在する状態では、開始位置が、第2および第3の両方のスクリーンで、ユーザが、その後、それらのスクリーンのいずれかでコンテンツ選択を存続する選択肢を有するように提供され得る。第3のスクリーン上の開始位置が選定されるならば、中間の、すなわち第2のスクリーン上のコンテンツは、統一された選択部分が第1、第2および第3のスクリーンにわたって延在するように、全部が選択され得る。
【符号の説明】
【００７０】
10  ノートブックコンピュータデバイス、コンピューティングデバイス、デバイス、デュアルスクリーンデバイス
12  タッチスクリーン、ディスプレイ、スクリーン、タッチセンシティブスクリーン、第1のスクリーン
12A  ディスプレイ
12B  タッチセンシティブ
14  タッチスクリーン、ディスプレイ、スクリーン、タッチセンシティブスクリーン、第2のスクリーン
14A  ディスプレイ
14B  タッチセンシティブ
16  ハウジング
18  ヒンジ構成
20  領域
22  主処理システム、処理システム
24  タッチセンシティブメモリおよび処理サブシステム、メモリおよび処理サブシステム、サブシステム、タッチスクリーン処理サブシステム、タッチセンシティブサブシステム
26  タッチセンシティブメモリおよび処理サブシステム、メモリおよび処理サブシステム、サブシステム、タッチスクリーンサブシステム、タッチセンシティブサブシステム
28  ディスプレイメモリおよび処理サブシステム、メモリおよび処理サブシステム、サブシステム、ディスプレイ処理サブシステム
30  ディスプレイメモリおよび処理サブシステム、メモリおよび処理サブシステム、サブシステム、ディスプレイスクリーンサブシステム、ディスプレイ処理サブシステム
32  ユーザの指
34  第1の位置、点、位置
34A、34B  要素、分割カーソル
36  第2の位置、点、位置
38  テキストのハイライト表示されたブロック、テキストの初期の選択されたブロック
38A  下側部分、統一された部分
38B  上側部分、統一された部分
40  分割カーソル、第1の要素
40A  要素、分割カーソル
42  分割カーソル、第2の要素、順方向を向く要素
42A  要素、分割カーソル
46、48、50、62、64、66  ステップ
【図１】
0005929913.tif 000002
【図２】
0005929913.tif 000003
【図３Ａ−３Ｃ】
0005929913.tif 000004
【図４Ａ−４Ｃ】
0005929913.tif 000005
【図５】
0005929913.tif 000006
【図６】
0005929913.tif 000007
【図７】
0005929913.tif 000008